(57)【要約】【課題】携帯型メモリを万歩計（登録商標）に結合し、万歩計（登録商標）に任意にデジタルデータを保存することができる、保存機能を備えた万歩計（登録商標）の提供。【解決手段】本考案の保存機能を備えた万歩計（登録商標）は、表面に中空の収容空間を凹設した本体と、一端が回路板本体、他端が回路板本体に電気的に接続されたUSBコネクタを成すメモリデバイスを含み、前記回路板本体が前記収容空間内に配置され、前記USBコネクタが前記本体から外部に露出され、前記USBコネクタ上に前記本体と結合及び分離可能な保護外蓋を設置して前記USBコネクタを被覆し、使用時に保護外蓋を開き、保存データがあるコンピュータのUSBスロットにUSBコネクタを差込み、データを前記万歩計（登録商標）の中に保存し、これにより、万歩計（登録商標）の使用時に保存されたデータを携帯することができ、データ遺失の確率を減少する。【選択図】図１
0003138912.tif 000002
【実用新案登録請求の範囲】
【請求項１】
保存機能を備えた万歩計（登録商標）であって、本体と、メモリデバイスと、保護外蓋を含み、そのうち、前記本体の一表面上に中空の収容空間が凹設され、前記メモリデバイスが前記収容空間内に設置され、前記メモリデバイスの一端が回路板本体であり、他端が前記回路板本体に電気的に接続されたUSBコネクタを成し、前記回路板本体が前記本体の収容空間内に配置され、前記USBコネクタが外部コンピュータに接続して保存データをダウンロードできるよう前記本体から外部に露出され、前記保護外蓋が前記USBコネクタ上に前記本体と結合及び分離可能に設置され、前記USBコネクタを被覆することを特徴とする、保存機能を備えた万歩計（登録商標）。        
【請求項２】
前記本体内に回路板が設置され、前記回路板が導線で本体表面上に露出された表示装置に電気的に接続され、前記回路板表面の片側に揺動部材が枢設され、前記揺動部材の自由端上に磁石が設置され、前記揺動部材上に位置回復弾性部材が設けられ、前記位置回復弾性部材は一端が前記揺動部材上に接続され、他端が前記回路板上に固定され、前記揺動部材が揺動した後、前記位置回復弾性部材の弾性により元の位置を回復することができ、前記回路板は前記揺動部材の磁石に対応する位置にリードスイッチが設置され、前記揺動部材に揺動が一回発生すると、その自由端の磁石が前記リードスイッチに一回接近し、前記リードスイッチが磁石の一回の接近により磁力で吸着され、一回の回路切断状態を形成し、前記回路板が一回の回路切断状態について一回と計数し、使用時には、前記揺動部材が使用者の体のリズム（走ったり歩いたりするときに発生するリズム）によって揺動を発生し、前記回路板が前記揺動部材の揺動回数から人体の走るまたは歩く歩数を計算し、且つ、前記歩数を表示装置上に表示することを特徴とする、請求項１に記載の保存機能を備えた万歩計（登録商標）。
【請求項３】
前記メモリデバイスの回路板本体が前記本体表面上の表示装置に電気的に接続され、前記メモリデバイスがその読み書き状態及び容量を前記表示装置上に表示することを特徴とする、請求項２に記載の保存機能を備えた万歩計（登録商標）。
【請求項４】
前記本体の回路板上に蓄電部材が設置され、USBコネクタをコンピュータに接続したとき、コンピュータを介して前記蓄電部材に充電することができ、充電後、前記蓄電部材が万歩計（登録商標）に必要な電力を供給することを特徴とする、請求項２に記載の保存機能を備えた万歩計（登録商標）。
【考案の詳細な説明】
【技術分野】
【０００１】
本考案は保存機能を備えた万歩計（登録商標）に関し、特に、携帯型メモリデバイスを設置して任意にデジタルデータを保存することができる万歩計（登録商標）に関する。
【背景技術】
【０００２】
これまでコンピュータの使用者がデータを携帯し、別のコンピュータ上で作業を行ないたい場合、通常はまずそのデータをフロッピー（登録商標）ディスクや光ディスク上に保存し、その後そのデータを保存したフロッピー（登録商標）ディスクまたは光ディスクを別のコンピュータに入れてそのデータを読取り、データをそのコンピュータ上に移して保存する方法で行なってきた。しかし、コンピュータ技術の発達に伴い、携帯型メモリが登場して上述の保存方法に取って代わるようになった。携帯型メモリはプラグアンドプレイのUSBインターフェースを採用し、非常に大きな記憶容量を有しており、同時にアクセス速度もそれまでのフロッピー（登録商標）ディスクよりずっと速く、使用者は携帯型メモリのUSBコネクタをコンピュータのUSBスロットに差し込むだけで、データの読取りと保存を行なうことができる。
【０００３】
しかしながら、従来の携帯型メモリはデータ保存という単一の機能しかなく、また体積が小さいため、使用時にきちんと保管しておかなければ個人データが外部に流出し、重大な結果を招くことがあり、また、机やオフィスデスク、かばんの中などにはほかにも書類やその他文具があり、そこに携帯型メモリを収納すると乱雑になってしまい、整理がしにくく、不必要な遺失を招きやすい。このため、携帯型メモリを万歩計（登録商標）上に結合させることができれば、データ遺失の確率を減少し、且つ、使用者が歩数の計算を行えるだけでなく、任意にデジタルデータを保存することができるため、保存機能を備えた万歩計（登録商標）の設計開発は業界が解決に努力すべき課題である。
【考案の開示】
【考案が解決しようとする課題】
【０００４】
前述の先行技術の欠点に鑑みて、本考案の考案者はその各種メモリデバイスの製造に携わった経験と技術の累積に基づいて、上述の欠点に対し各種解決方法を研究し、絶え間ない研究と実験、改良を経て、ついに本考案の新しい保存機能を備えた万歩計（登録商標）の創作に至り、先行技術の欠点を解決するものである。
【０００５】
本考案の目的は、携帯型メモリを万歩計（登録商標）に結合し、万歩計（登録商標）に任意にデジタルデータを保存することができる、保存機能を備えた万歩計（登録商標）を提供することにある。        
【課題を解決するための手段】
【０００６】
上述の目的を達するため、本考案の万歩計（登録商標）は、本体を設け、前記本体の表面上に中空の収容空間を凹設し、前記収容空間にメモリデバイスを設置し、前記メモリデバイスは一端が回路板本体であり、他端が回路板本体に電気的に接続されたUSBコネクタを成し、そのうち、前記回路板本体が前記本体の収容空間内に配置され、前記USBコネクタが外部コンピュータに接続できるよう本体から外部に露出され、前記USBコネクタ上に前記本体と結合及び分離が可能な保護外蓋を設置して前記USBコネクタを被覆し、使用時には保護外蓋を開き、保存するデータがあるコンピュータのUSBスロット上にUSBコネクタを差込み、保存データをダウンロードし、デジタルデータを前記万歩計（登録商標）の中に保存する。これにより、この万歩計（登録商標）を使用するとき、前記万歩計（登録商標）の中に保存されたデータを携帯することができ、データ遺失の確率を減少するという目的を達することができる。
【考案を実施するための最良の形態】
【０００７】
本考案の目的、形状、構造装置の特徴及びその効果についてより深い認識と理解を促すため、以下、実施例と図面に基づき詳細に説明する。
【０００８】
本考案の保存機能を備えた万歩計（登録商標）は、図１及び図２に示すように、本体１０を設け、前記本体１０の表面上に中空の収容空間１１を凹設し、前記収容空間１１にメモリデバイス１２を設置し、前記メモリデバイス１２は一端が回路板本体１２１であり、他端が前記回路板本体１２１に電気的に接続されたUSBコネクタ１２３を成し、そのうち、前記回路板本体１２１が前記本体１０の収容空間１１内に配置され、前記USBコネクタ１２３が外部コンピュータに接続できるよう本体１０から外部に露出され、前記USBコネクタ１２３上に前記本体１０と結合及び分離が可能な保護外蓋１３を設置して前記USBコネクタ１２３を被覆する。
【０００９】
上述の部材の構成により、使用時には保護外蓋１３を開き、保存するデータがあるコンピュータのUSBスロット上（図示しない）にUSBコネクタ１２３を差込み、保存データをダウンロードし、デジタルデータを前記万歩計（登録商標）の中に保存する。これにより、この万歩計（登録商標）を使用するとき、前記万歩計（登録商標）の中に保存されたデータを同時に携帯することができ、データ遺失の確率を減少するという効果と目的を達することができる。
【００１０】
図１から図４に示すように、前記万歩計（登録商標）の本体１０内に回路板２１を設置し、前記回路板２１は導線により本体１０表面上に露出された表示装置２２に電気的に接続され、前記回路板２１表面の片側に揺動部材２３を設け、この揺動部材２３の自由端上に磁石２３１を設置し、さらにこの揺動部材２３上に位置回復弾性部材２４を設け、この位置回復弾性部材２４の一端を揺動部材２３上二接続し、他端を回路板２１上に固定して、揺動部材２３が揺動した後、この位置回復弾性部材２４の弾性により元の位置を回復するように構成する。前記回路板２１は前記揺動部材２３の磁石２３１に対応する位置にリードスイッチ２５が設置される。揺動部材２３に揺動が一回発生すると、その自由端の磁石２３１が前記リードスイッチ２５に一回接近し、リードスイッチ２５が磁石２３１の一回の接近により磁力で吸着され、一回の回路切断状態を形成し、回路板２１が一回の回路切断状態について一回と計数する。
【００１１】
前記万歩計（登録商標）を使用者の体に取り付けて使用するとき、揺動部材２３が使用者の体のリズム（走ったり歩いたりするときに発生するリズム）によって揺動を発生し、回路板２１が揺動部材２３の揺動回数から人体の走るまたは歩く歩数を計算し、且つ、前記歩数を表示装置２２上に表示する。
【００１２】
再度図１から図４に示すように、前記メモリデバイス１２の回路板本体１２１は本体１０表面上の表示装置２２に電気的に接続され、メモリデバイス１２が保存データをダウンロードするとき、その読み書き状態及び容量が前記表示装置２２上に表示される。
【００１３】
また、図１から図４に示すように、前記メモリデバイス１２の回路板本体１２１はさらに本体１０の回路板２１に電気的に接続され、本体１０はデータをメモリデバイス１２のフラッシュメモリに保存することができ、万歩計（登録商標）の記憶容量を増大させ、大量のデータ（例えば１G、２G、或いは４G以上）を保存することを可能にし、メモリ容量を一般的な従来の万歩計（登録商標）より大きくする効果が得られる。
【００１４】
さらに、図１から図４に示すように、前記本体１０の回路板２１上に蓄電部材（例えば、充電電池とする高容量キャパシタ或いは充電電池、または充電式リチウム電池など）（図示しない）を設置し、USBコネクタ１２３をコンピュータに接続したとき、コンピュータを介して前記蓄電部材に充電を行なうことができ、充電後、蓄電部材が万歩計（登録商標）に必要な電力を供給し、万歩計（登録商標）の自動充電を可能にして一般的な乾電池を使用する必要がないという効果を得ることができる。
【００１５】
上述をまとめると、本考案の保存機能を備えた万歩計（登録商標）は、これまでにない新しい構造を確実に備えており、いかなる刊行物にも掲載されたことがなく、また市場においても類似製品は見受けられないため、新規性を備えていることに疑いはない。このほか、本考案の独特な特徴及びその効果は従来品の及ぶところではなく、従来品より確実に進歩性を備えており、我が国の特許法の実用新案登録出願の関連要件の規定を満たしているため、法に従いここに実用新案登録を出願するものである。
【００１６】
以上の説明は、本考案の最良の具体的実施例に基づくものであり、本考案の構造上の特徴はこれに限られることはなく、関連技術を知る者が本考案の領域内で容易に思い付く変化や修飾はすべて本考案の実用新案登録請求の範囲に含まれるものとする。
【図面の簡単な説明】
【００１７】
【図１】本考案の万歩計（登録商標）の立体外観図である。
【図２】本考案の万歩計（登録商標）の立体分解図である。
【図３】本考案の万歩計（登録商標）の内部構造を示す平面図である。
【図４】本考案の万歩計（登録商標）の動作を示す平面図である。
【符号の説明】
【００１８】
１０      本体
１１      収容空間
１２      メモリデバイス
１２１    回路板本体
１２３    USBコネクタ
１３      保護外蓋
２１      回路板
２２      表示装置
２３      揺動部材
２３１    磁石
２４      位置回復弾性部材
２５      リードスイッチ
【図１】
0003138912.tif 000003
【図２】
0003138912.tif 000004
【図３】
0003138912.tif 000005
【図４】
0003138912.tif 000006